(57)【特許請求の範囲】
【請求項１】
光源装置本体と、
内視鏡のスコープコネクタと電気的に接続されるコネクタを備え、前記光源装置本体に対し着脱自在に電気的に接続される接続ユニットと、
光源装置本体の電源のオン／オフに応じて前記接続ユニットの前記光源装置本体への着脱を禁止／許容する着脱選択手段と、
前記接続ユニットが前記光源装置本体に装着されているときに、前記コネクタが前記光源装置本体に対して前記内視鏡の着脱方向に変位するのを阻止する変位阻止手段とを有し、
前記スコープコネクタの前記コネクタに対する着脱の際の移動方向と、前記接続ユニットの前記光源装置本体に対する着脱の際の移動方向とがほぼ直交する方向であり、
前記変位阻止手段は、前記コネクタを挿入可能な空間を有するコネクタ支持部材で構成され、前記コネクタ支持部材は、前記空間に前記コネクタを挿入した状態で前記コネクタに係合し、前記コネクタが前記内視鏡の着脱方向に変位するのを阻止するものであることを特徴とする光源装置。
【請求項２】
光源装置本体と、
信号処理回路を形成した基板と、該基板上に設置され、内視鏡のスコープコネクタと電気的に接続されるコネクタとを備え、前記光源装置本体に対し着脱自在に電気的に接続される接続ユニットと、
光源装置本体の電源のオン／オフに応じて前記接続ユニットの前記光源装置本体への着脱を禁止／許容する着脱選択手段と、
前記接続ユニットが前記光源装置本体に装着されているときに、前記コネクタが前記光源装置本体に対して前記内視鏡の着脱方向に変位するのを阻止する変位阻止手段とを有し、
前記スコープコネクタの前記コネクタに対する着脱の際の移動方向と、前記接続ユニットの前記光源装置本体に対する着脱の際の移動方向とがほぼ直交する方向であり、
前記変位阻止手段は、前記コネクタを挿入可能な空間を有するコネクタ支持部材で構成され、前記コネクタ支持部材は、前記空間に前記コネクタを挿入した状態で前記コネクタに係合し、前記コネクタが前記内視鏡の着脱方向に変位するのを阻止するものであることを特徴とする光源装置。
【請求項３】
前記着脱選択手段は、前記電源のオン／オフに連動して作動する駆動源と、前記駆動源の作動により、前記接続ユニットに係合する位置と前記接続ユニットに係合しない位置とに変位する係合部材とを備えている請求項１または２に記載の光源装置。
【請求項４】
前記駆動源は、ソレノイドであり、前記係合部材は、前記ソレノイドの作動により進退する移動体である請求項３に記載の光源装置。
【請求項５】
前記着脱選択手段は、前記電源のオン／オフに連動して作動するソレノイドと、前記ソレノイドの作動により、前記基板に形成された凹部または孔に係合する位置と前記凹部または孔から退避する位置とに変位する移動体とを備えている請求項２に記載の光源装置。
【請求項６】
前記移動体の移動方向は、前記接続ユニットの前記光源装置本体に対する着脱の際の移動方向に対しほぼ直交する方向であり、かつ、前記内視鏡の前記コネクタに対する着脱の際の移動方向に対し、ほぼ直交する方向または平行な方向である請求項４または５に記載の光源装置。
【請求項７】
前記着脱選択手段は、前記電源のオン／オフを行うための操作部材に連動し、前記接続ユニットに係合する位置と前記接続ユニットに係合しない位置とに変位する係合部材を備えている請求項１または２に記載の光源装置。
【請求項８】
前記操作部材は、ボタン式電源スイッチにおけるボタンであり、前記係合部材は、前記ボタンの押圧方向と同方向に移動する請求項７に記載の光源装置。
【請求項９】
前記係合部材は、前記操作部材に固定され、その端部が前記接続ユニットに係合し得るロッドで構成されている請求項７または８に記載の光源装置。
【請求項１０】
前記光源装置本体は、前記スコープコネクタが挿通されるコネクタ用孔を有している請求項１ないし９のいずれかに記載の光源装置。
【請求項１１】
前記内視鏡は、ライトコネクタを有し、前記光源装置本体および前記接続ユニットは、それぞれ、前記ライトコネクタが挿通されるライトガイド用孔およびライトガイド用開口を有している請求項１ないし１０のいずれかに記載の光源装置。
【請求項１２】
前記内視鏡は、ライトコネクタを有し、前記光源装置本体および前記接続ユニットは、それぞれ、前記ライトコネクタが挿通されるライトガイド用孔およびライトガイド用開口を有し、
前記コネクタおよび前記ライトガイド用開口は、それぞれ、前記接続ユニットを前記光源装置本体に装着した際の前記コネクタ用孔およびライトガイド用孔に対応する位置に設けられている請求項１０に記載の光源装置。
【請求項１３】
請求項１ないし１２のいずれかに記載の光源装置と、前記コネクタに着脱自在に電気的に接続される内視鏡とを有することを特徴とする内視鏡装置。
【請求項１４】
前記内視鏡は、先端部に撮像素子を有する電子内視鏡である請求項１３に記載の内視鏡装置。
【発明の詳細な説明】
【０００１】
【発明の属する技術分野】
本発明は、内視鏡装置の光源装置および内視鏡装置に関する。
【０００２】
【従来の技術】
従来、例えば医療の分野では、消化管等の検査や診断に電子内視鏡装置が使用されている。
【０００３】
この電子内視鏡装置は、光源装置と、この光源装置に着脱自在に装着（接続）され、撮像素子（ＣＣＤイメージセンサ）を備えた内視鏡（スコープ）とで構成されている。内視鏡は、例えば、接続ケーブル（ユニバーサルケーブル）の長さの異なるもの、撮像素子の種類や画素数が異なるもの、撮像方式が異なるもの（例えば、モノクロ（白黒）面順次撮像方式、カラー単板撮像方式）、信号処理方式が異なるもの等、その種類も様々である。使用の際は、内視鏡を対応する光源装置に装着する。
【０００４】
前記光源装置のフロントパネルには、内視鏡との電気的接続を図るためのスコープコネクタと、内視鏡との光学的接続を図るためのライトガイド用孔とが設けられている。
【０００５】
一方、内視鏡には、光源装置との電気的接続を図るためのスコープコネクタと、光源装置との光学的接続を図るためのライトコネクタとを備えた接続部が設けられている。
【０００６】
内視鏡を光源装置に装着する際には、内視鏡のライトコネクタをライトガイド用孔を介して光源装置内に挿入すると共に、内視鏡のスコープコネクタと光源装置のスコープコネクタとを接続することで、光源装置と内視鏡との光学的な接続および電気的な接続を行う。
【０００７】
しかしながら、前述したように内視鏡には、撮像方式が異なるもの等、様々な種類のものが存在するため、従来の電子内視鏡装置では、使用する内視鏡に対応した光源装置を用いる必要がある。
【０００８】
例えば、白黒面順次撮像方式の内視鏡を使用する場合は、モノクロ面順次撮像方式の専用の光源装置、すなわち、モノクロ面順次撮像方式の内視鏡用のスコープコネクタおよび信号処理回路や、モノクロ面順次撮像方式に必要なＲＧＢ回転フィルタ等の所定の機構を備えた光源装置を用意し、この光源装置に前記内視鏡を装着する必要がある。
【０００９】
【発明が解決しようとする課題】
ところで、光源装置の所定の信号処理回路やスコープコネクタ等をユニット化し、そのユニットを交換し得るようにすることが可能であると考えられる。この場合には、使用する内視鏡の種類に応じた前記ユニットを製造しておき、これらのユニットを適宜交換して使用することにより、光源装置全体を交換することなく、様々な内視鏡に対応することができるという利点がある。
【００１０】
各ユニットは、それに搭載された信号処理回路の端子を複数備え、光源装置本体への着脱の際に、前記各端子が光源装置本体側の対応する端子と電気的に接続されるように構成されている。
【００１１】
しかしながら、このようなユニットを交換可能な光源装置では、ユニットの着脱に伴う光源装置本体との電気的な接／断と、光源装置の作動状態との関係が未解決であり、例えば、光源装置の作動中にユニットの着脱を行うと、電子回路が破壊されたり、誤動作を生じたりし、信頼性を低下させるという問題がある。
【００１２】
本発明の目的は、接続ユニットの光源装置本体への着脱を規制することにより、回路の破壊や誤動作等の悪影響を防止し、信頼性の高い光源装置および内視鏡装置を提供することにある。
【００１３】
【課題を解決するための手段】
このような目的は、下記（１）〜（１４）の本発明により達成される。
【００１４】
（１）  光源装置本体と、
内視鏡のスコープコネクタと電気的に接続されるコネクタを備え、前記光源装置本体に対し着脱自在に電気的に接続される接続ユニットと、
光源装置本体の電源のオン／オフに応じて前記接続ユニットの前記光源装置本体への着脱を禁止／許容する着脱選択手段と、
前記接続ユニットが前記光源装置本体に装着されているときに、前記コネクタが前記光源装置本体に対して前記内視鏡の着脱方向に変位するのを阻止する変位阻止手段とを有し、
前記スコープコネクタの前記コネクタに対する着脱の際の移動方向と、前記接続ユニットの前記光源装置本体に対する着脱の際の移動方向とがほぼ直交する方向であり、
前記変位阻止手段は、前記コネクタを挿入可能な空間を有するコネクタ支持部材で構成され、前記コネクタ支持部材は、前記空間に前記コネクタを挿入した状態で前記コネクタに係合し、前記コネクタが前記内視鏡の着脱方向に変位するのを阻止するものであることを特徴とする光源装置。
【００１５】
（２）  光源装置本体と、
信号処理回路を形成した基板と、該基板上に設置され、内視鏡のスコープコネクタと電気的に接続されるコネクタとを備え、前記光源装置本体に対し着脱自在に電気的に接続される接続ユニットと、
光源装置本体の電源のオン／オフに応じて前記接続ユニットの前記光源装置本体への着脱を禁止／許容する着脱選択手段と、
前記接続ユニットが前記光源装置本体に装着されているときに、前記コネクタが前記光源装置本体に対して前記内視鏡の着脱方向に変位するのを阻止する変位阻止手段とを有し、
前記スコープコネクタの前記コネクタに対する着脱の際の移動方向と、前記接続ユニットの前記光源装置本体に対する着脱の際の移動方向とがほぼ直交する方向であり、
前記変位阻止手段は、前記コネクタを挿入可能な空間を有するコネクタ支持部材で構成され、前記コネクタ支持部材は、前記空間に前記コネクタを挿入した状態で前記コネクタに係合し、前記コネクタが前記内視鏡の着脱方向に変位するのを阻止するものであることを特徴とする光源装置。
【００１６】
（３）  前記着脱選択手段は、前記電源のオン／オフに連動して作動する駆動源と、前記駆動源の作動により、前記接続ユニットに係合する位置と前記接続ユニットに係合しない位置とに変位する係合部材とを備えている上記（１）または（２）に記載の光源装置。
【００１７】
（４）  前記駆動源は、ソレノイドであり、前記係合部材は、前記ソレノイドの作動により進退する移動体である上記（３）に記載の光源装置。
【００１８】
（５）  前記着脱選択手段は、前記電源のオン／オフに連動して作動するソレノイドと、前記ソレノイドの作動により、前記基板に形成された凹部または孔に係合する位置と前記凹部または孔から退避する位置とに変位する移動体とを備えている上記（２）に記載の光源装置。
【００１９】
（６）  前記移動体の移動方向は、前記接続ユニットの前記光源装置本体に対する着脱の際の移動方向に対しほぼ直交する方向であり、かつ、前記内視鏡の前記コネクタに対する着脱の際の移動方向に対し、ほぼ直交する方向または平行な方向である上記（４）または（５）に記載の光源装置。
【００２０】
（７）  前記着脱選択手段は、前記電源のオン／オフを行うための操作部材に連動し、前記接続ユニットに係合する位置と前記接続ユニットに係合しない位置とに変位する係合部材を備えている上記（１）または（２）に記載の光源装置。
【００２１】
（８）  前記操作部材は、ボタン式電源スイッチにおけるボタンであり、前記係合部材は、前記ボタンの押圧方向と同方向に移動する上記（７）に記載の光源装置。
【００２２】
（９）  前記係合部材は、前記操作部材に固定され、その端部が前記接続ユニットに係合し得るロッドで構成されている上記（７）または（８）に記載の光源装置。
【００２３】
（１０）  前記光源装置本体は、前記スコープコネクタが挿通されるコネクタ用孔を有している上記（１）ないし（９）のいずれかに記載の光源装置。
（１１）  前記内視鏡は、ライトコネクタを有し、前記光源装置本体および前記接続ユニットは、それぞれ、前記ライトコネクタが挿通されるライトガイド用孔およびライトガイド用開口を有している上記（１）ないし（１０）のいずれかに記載の光源装置。
【００２４】
（１２）  前記内視鏡は、ライトコネクタを有し、前記光源装置本体および前記接続ユニットは、それぞれ、前記ライトコネクタが挿通されるライトガイド用孔およびライトガイド用開口を有し、
前記コネクタおよび前記ライトガイド用開口は、それぞれ、前記接続ユニットを前記光源装置本体に装着した際の前記コネクタ用孔およびライトガイド用孔に対応する位置に設けられている上記（１０）に記載の光源装置。
【００２５】
（１３）  上記（１）ないし（１２）のいずれかに記載の光源装置と、前記コネクタに着脱自在に電気的に接続される内視鏡とを有することを特徴とする内視鏡装置。
（１４）  前記内視鏡は、先端部に撮像素子を有する電子内視鏡である上記（１３）に記載の内視鏡装置。
【００２６】
【発明の実施の形態】
以下、本発明の光源装置および内視鏡装置を添付図面に示す好適実施形態に基づいて詳細に説明する。
【００２７】
図１は、本発明の光源装置の実施形態を示す全体斜視図、図２は、本発明の内視鏡装置における接続ユニットの主要部を示す斜視図、図３は、本発明の光源装置の主要部の構成を示す断面側面図、図４および図５は、それぞれ、接続ユニットの着脱状態を示す正面図である。
【００２８】
これらの図に示すように、電子内視鏡装置（内視鏡装置）１００は、光源装置１と、光源装置１に対し着脱自在な内視鏡（スコープ）２とを有している。
【００２９】
光源装置１は、光源装置本体１０と、光源装置本体１０に着脱自在の初段信号処理回路基板（接続ユニット）３とで構成されている。光源装置本体１０には、所定の入力等を行うキーボード５０が着脱自在に電気的に接続されている。
【００３０】
光源装置本体１０の前面（図１中正面）には、各種キーやスイッチが設けられたフロントパネルスイッチ７３と、ボタン式の電源スイッチ（メインスイッチ）７４と、内視鏡２を光源装置１に装着する際、内視鏡２の後述するスコープコネクタ（内視鏡側スコープコネクタ）４１が挿入されるコネクタ用孔５と、内視鏡２を光源装置１に装着する際、内視鏡２の後述するライトコネクタ４２が挿入されるライトガイド用孔７とが、それぞれ設けられている。コネクタ用孔５と、ライトガイド用孔７は、図１中上下方向に並んでいる。
【００３１】
この光源装置１では、様々な内視鏡２に対応し得るように、初段信号処理回路基板３が交換可能となっており、光源装置本体１０の図１中左側の側面部には、この初段信号処理回路基板３を交換（着脱）する際に通過する開口５２が形成されている。
【００３２】
図２に示すように、初段信号処理回路基板３には、内視鏡２に設けられた後述する撮像素子（ＣＣＤイメージセンサ）からの信号に対して所定の初段の信号処理を施す回路や、光源装置本体１０側の後述するタイミングコントロール回路と内視鏡２に設けられた後述する撮像素子用ドライバ回路とを導通させるパターン等を備えた初段信号処理回路１１と、所定の情報が記憶（記録）されているＲＯＭ（不揮発性メモリ）１２と、この初段信号処理回路基板３と光源装置本体１０との電気的接続を図るためのカードエッジ１３とが設けられている。
【００３３】
カードエッジ１３には、複数の端子１３１が並設され、各端子１３１は、初段信号処理回路基板３上で初段信号処理回路１１、ＲＯＭ１２等における所定の部位に電気的に接続されている。
【００３４】
ＲＯＭ１２には、例えば、初段信号処理回路基板３のＩＤ番号、この初段信号処理回路基板３に対応する内視鏡２の型式（スコープ型式）に関する情報、この初段信号処理回路基板３に対応する撮像方式に関する情報（例えば、モノクロ（白黒）面順次撮像方式やカラー単板撮像方式、ＲＧＢ回転フィルタの有無）等、初段信号処理回路基板３およびそれに関連する情報が記憶されている。
【００３５】
また、初段信号処理回路基板３には、初段信号処理回路基板３を光源装置本体１０に装着した際に、光源装置本体１０のコネクタ用孔５およびライトガイド用孔７に対応する位置に、それぞれ、この初段信号処理回路基板３と内視鏡２との電気的接続を図るための円柱状のスコープコネクタ（プロセッサ側スコープコネクタ）１４および内視鏡２を光源装置１に装着する際、内視鏡２の後述するライトコネクタ４２が挿入されるライトガイド用開口１５が設けられている。なお、スコープコネクタ１４に内蔵された複数の端子は、初段信号処理回路１１、ＲＯＭ１２等における所定の部位に電気的に接続されている。
【００３６】
さらに詳しくは、前記モノクロ面順次撮像方式に対応する初段信号処理回路１１を有する初段信号処理回路基板３は、図６（ａ）に示すように構成されている。
【００３７】
スコープコネクタ１４は、複数のコネクタピン２１と、その中心部に設けられ、ＣＣＤイメージセンサからのモノクロ映像信号等を伝送するための１つの映像信号用同軸コネクタ２０とを備えている。前記コネクタピン２１は、前記モノクロ映像信号以外の所定の信号、例えば、スコープコネクタ１４に接続された内視鏡２の型式（種類）を示す信号や、光源装置１から前記内視鏡２の駆動を制御するための各種制御信号等の伝送に用いられる。
【００３８】
また、ＲＯＭ１２には、初段信号処理回路１１がモノクロ面順次撮像方式用のものであることを示す情報等が記憶されている。なお、図２には、このモノクロ面順次撮像方式に対応する初段信号処理回路１１を有する初段信号処理回路基板３が示されている。
【００３９】
これに対して、前記カラー単板撮像方式に対応する初段信号処理回路１１を有する初段信号処理回路基板３は、図６（ｂ）に示すように構成されている。
【００４０】
スコープコネクタ１４は、複数のコネクタピン２１と、その中心部に設けられ、ＣＣＤイメージセンサからの輝度信号（Ｙ）および２つの色差信号（Ｒ−Ｙ、Ｂ−Ｙ）をそれぞれ伝送するための３つの映像信号用同軸コネクタ２２とを備えている。前記コネクタピン２１は、前記輝度信号（Ｙ）および２つの色差信号（Ｒ−Ｙ、Ｂ−Ｙ）以外の所定の信号、例えば、スコープコネクタ１４に接続された内視鏡２の型式（種類）を示す信号や、光源装置１から前記内視鏡２の駆動を制御するための各種制御信号等の伝送に用いられる。
【００４１】
また、ＲＯＭ１２には、初段信号処理回路１１がカラー単板撮像方式用のものであることを示す情報等が記憶されている。
【００４２】
前記モノクロ面順次撮像方式に対応する初段信号処理回路１１を有する初段信号処理回路基板３およびカラー単板撮像方式に対応する初段信号処理回路１１を有する初段信号処理回路基板３のいずれにおいても、図２に示すように、円柱形状のスコープコネクタ１４の外周部には、リング状の溝２５がその外周に沿って設けられている。
【００４３】
図４、図５および図１２に示すように、光源装置本体１０内には、初段信号処理回路基板３のカードエッジ１３が挿入（接続）されるメス型のコネクタ９０と、初段信号処理回路基板３をカードエッジ１３をコネクタ９０に導く、溝が形成された一対の基板レールガイド４、４とが設けられている。
【００４４】
コネクタ９０内には、カードエッジ１３の各端子１３１に対応する複数の端子９０１が設けられ、それらの端子９０１は、後述するタイミングコントロール回路、画像メモリ、モータ制御回路、システムコントロール回路（制御手段）５６等、光源装置本体１０の所定の回路に電気的に接続されている。
【００４５】
後述する初段信号処理回路基板３の光源装置本体１０への装着が許容された状態において、初段信号処理回路基板３を基板レールガイド４に沿って移動させ、カードエッジ１３をコネクタ９０に挿入（嵌合）すると、カードエッジ１３とコネクタ９０との対応する端子同士が電気的に接続し、初段信号処理回路基板３と光源装置本体１０とが電気的に接続されると共に、初段信号処理回路基板３が光源装置本体１０に機械的に接続（装着）される。
【００４６】
初段信号処理回路基板３の縁部には、着脱選択手段９を構成する凹部（切欠き）９１が形成されている。この凹部９１の初段信号処理回路基板３上での形成位置は、初段信号処理回路基板３を光源装置本体１０に装着した状態（カードエッジ１３とコネクタ９０とが電気的に接続された状態）で、後述するソレノイド９２のプランジャ９４の係合片９４１が挿入（係合）し得る位置とされる。
【００４７】
また、初段信号処理回路基板３のカードエッジ１３と反対側の端部には、初段信号処理回路基板３を光源装置本体１０に装着したとき、開口５２を覆う蓋部材５３が固着されている。また、この蓋部材５３には、コ字状の把持部５４が一体形成されている。この把持部５４を手で握って初段信号処理回路基板３の光源装置本体１０への着脱操作を行う。
【００４８】
図３に示すように、光源装置本体１０のフロントパネル１ａのコネクタ用孔５の背面側（光源装置本体１の内側）には、変位阻止手段として、コネクタ受け（コネクタ支持部材）６が固定されている。
【００４９】
このコネクタ受け６の側面図、正面図および背面図をそれぞれ図７（ａ）、（ｂ）および（ｃ）に示す。
【００５０】
図７に示すように、コネクタ受け６は、初段信号処理回路基板３のスコープコネクタ１４を挿入可能な空間６ａが形成された略Ｕ字状のコネクタ挿入部３０を有しており、このコネクタ挿入部３０の空間６ａの内縁部（リブ３６）と、前記スコープコネクタ１４の外周部（溝２５）とが係合することにより、スコープコネクタ１４が光源装置本体１０に対して内視鏡２の着脱方向（図３中横方向）に変位するのを阻止する。
【００５１】
すなわち、コネクタ受け６は、互いに平行になるように設けられた第１のガイド片３２および第２のガイド片３３と、第１および第２のガイド片３２、３３の図７（ａ）中右側に設けられた当接部３７とで構成された略Ｕ字状のコネクタ挿入部３０を有している。
【００５２】
当接部３７の空間６ａの内縁における図７（ａ）中右側の部分は半円状になっており、その曲率（後述するリブ３６を含まない部分の曲率）は、スコープコネクタ１４の外周最大部の曲率より若干小さい。すなわち、当接部３７の内径（後述するリブ３６を含まない部分の内径）は、スコープコネクタ１４の外径より若干大きい。
【００５３】
また、第１のガイド片３２と第２のガイド片３３の間隔（後述するリブ３６を含まない部分の間隔）は、スコープコネクタ１４の直径より若干大きい。
【００５４】
第１および第２のガイド片３２、３３および当接部３７の空間６ａの内縁部には、それぞれ、リブ（凸条）３６が形成されている。このリブ３６は、第１のガイド片３２の先端から第２のガイド片３３の先端まで連続的に形成されており、スコープコネクタ１４に設けられた溝２５と係合し得るようになっている。
【００５５】
図７（ｂ）中上下方向には、本実施形態では、コネクタ受け６のリブ３６がスコープコネクタ１４の溝２５に遊びなく嵌合するようになっているが、若干の遊びがあってもよい。
【００５６】
また、図７（ｂ）中左右方向には、本実施形態では、コネクタ受け６のリブ３６がスコープコネクタ１４の溝２５に遊びなく嵌合するようになっているが、若干の遊びがあってもよい。
【００５７】
また、第１および第２のガイド片３２、３３の先端部（図７（ａ）中左側の端部）の対向面には、それぞれ、テーパ面３４が形成されている。すなわち、第１および第２のガイド片３２、３３の先端部（図７（ａ）中左側の端部）における第１のガイド片３２と第２のガイド片３３の間隔は、図７（ａ）中左側に向かって漸増している。
【００５８】
前記各テーパ面３４により、スコープコネクタ１４の空間６ａへ誘導するガイド部が構成され、このガイド部により、初段信号処理回路基板３を光源装置本体１０に装着する際のスコープコネクタ１４の空間６ａへの挿入を円滑かつ確実に行うことができる。
【００５９】
また、コネクタ受け６には、当該コネクタ受け６を光源装置本体１０にネジ止めするための４つのネジ孔３１が設けられている。すなわち、コネクタ受け６は、図３に示すようにこれらのネジ孔３１を介してネジ３５により光源装置本体１０の内側に強固にネジ止めされる。
【００６０】
このような光源装置１は、電源スイッチ７４による電源のオン／オフに応じて初段信号処理回路基板３の光源装置本体１０への着脱を禁止／許容する着脱選択手段９を有している。着脱選択手段９は、主に、初段信号処理回路基板３に形成された前述の凹部９１と、ソレノイド９２と、ソレノイド９２の駆動を制御するソレノイド制御回路９８とで構成されている。
【００６１】
ソレノイド９２は、支持部材９７により光源装置本体１０のフロントパネル１ａの内側に支持、固定されている。
【００６２】
ソレノイド９２は、電磁石を内蔵するソレノイド本体９３と、ソレノイド本体９３に対し軸方向に移動可能なプランジャ（移動体）９４とを備えている。また、ソレノイド本体９３の後端およびプランジャ９４の後端には、それぞれ、バネ座として機能するワッシャー９５、９５が設置され、両ワッシャー間９５間に、プランジャ９４を図３〜図５中下方に付勢するバネ（付勢手段）９６が挿入されている。
【００６３】
プランジャ９４の先端部は、初段信号処理回路基板３に形成された凹部９１に係合する部分であり、その幅が初段信号処理回路基板３の厚さより若干大きい係合片９４１を有している（図３参照）。
【００６４】
プランジャ９４は、初段信号処理回路基板３の着脱の際の移動方向に対しほぼ直角方向に移動する。これにより、できるだけ少ない移動ストロークで係合片９４１の凹部９１への係合／離脱を確実かつ効率的に行うことができる。
【００６５】
電源スイッチ７４により光源装置本体１０の電源がオフの状態（電源回路７４３から装置各部への電力供給がなされていない状態）では、ソレノイド制御回路９８は、ソレノイド９２への通電を行わず、これにより、図３および図４に示すように、プランジャ９４は、バネ９６の弾性力により図４中下方側に位置し、すなわち、先端部の係合片９４１が凹部９１と係合しない位置（以下この位置を「退避位置」と言う）にある。
【００６６】
プランジャ９４が退避位置にあるときには、初段信号処理回路基板３は、プランジャ９４に当接することなくプランジャ９４の近傍を図４中横方向に自由に移動することができる。従って、初段信号処理回路基板３を光源装置本体１０に着脱すること、すなわち、カードエッジ１３をコネクタ９０に着脱（接続および離脱）することが許容される。
【００６７】
一方、電源スイッチ７４により光源装置本体１０の電源がオンの状態（電源回路７４３から装置各部への電力供給がなされている状態）では、ソレノイド制御回路９８は、ソレノイド９２への通電を行い、これにより、図５に示すように、プランジャ９４は、バネ９６の弾性力に抗して図５中上方側に移動し、突出する。そして、初段信号処理回路基板３が光源装置本体１０に装着された状態では、係合片９４１が凹部９１と係合する（以下この位置を「係合位置」と言う）。
【００６８】
プランジャ９４が係合位置にあるときに、初段信号処理回路基板３を開口５２から挿入し、カードエッジ１３をコネクタ９０に接続しようとした場合、初段信号処理回路基板３の角部がプランジャ９４の係合片９４１に当接し、その時点で初段信号処理回路基板３の移動が止められる。従って、初段信号処理回路基板３を光源装置本体１０に装着すること、すなわちカードエッジ１３をコネクタ９０に接続することが禁止される。
【００６９】
また、カードエッジ１３がコネクタ９０に接続されており、かつ電源がオン状態であることにより係合片９４１が凹部９１と係合しているときには、初段信号処理回路基板３は、図５中横方向に移動することができず、よって、初段信号処理回路基板３を光源装置本体１０から離脱させること、すなわちカードエッジ１３とコネクタ９０との接続を解除することが禁止される。
【００７０】
このような着脱選択手段９を設けたことにより、光源装置本体１０の電源がオフであるときにのみ、初段信号処理回路基板３の光源装置本体１０への着脱、すなわちカードエッジ１３とコネクタ９０との接続およびその解除が可能となるので、初段信号処理回路１１や、光源装置本体１０側の回路（例えば、システムコントロール回路５６、画像メモリ回路、タイミングコントロール回路）等が破壊されたり、誤動作を生じたりする等の悪影響が防止され、高い信頼性を維持することができる。
【００７１】
図３に示すように、内視鏡２は、接続部４０と、可撓性（柔軟性）を有する長尺物の図示しない内視鏡本体と、前記接続部４０と内視鏡本体とを接続する接続ケーブル（ユニバーサルケーブル）４３とを備えている。
【００７２】
接続部４０には、前記光源装置１との電気的接続を図るためのスコープコネクタ（内視鏡側スコープコネクタ）４１と、光源装置１との光学的接続を図るためのライトコネクタ４２とが設けられている。
【００７３】
スコープコネクタ４１は、初段信号処理回路基板３側のスコープコネクタ１４に対応する複数の端子を内蔵し、これらの端子は、前記接続ケーブル４３等を介して、ＣＣＤイメージセンサ（撮像素子）６８や、撮像素子用ドライバ６９等の内視鏡２に設置された所定の回路に電気的に接続されている（図９参照）。
【００７４】
また、図３および図９に示すように、ライトコネクタ４２は、その内部に、内視鏡２のライトガイド（ＬＣＢ：ライトケーブルバンドル）８の一方の端部を有している。このライトガイド８は、例えば、複数本の光ファイバーを束ねて形成されている。
【００７５】
図９に示すように、前記内視鏡本体の先端部には、照明系レンズ６６、撮像レンズ（対物レンズ）６７およびＣＣＤイメージセンサ（撮像素子）６８が設置されている。また、内視鏡本体の先端部には、前記ライトガイド８の他方の端部が位置している。
【００７６】
次に、電子内視鏡装置１００における初段信号処理回路基板３の着脱の際の作用（装着・離脱の手順等）と、内視鏡２の着脱の際の作用とをそれぞれ説明する。
【００７７】
この電子内視鏡装置１００において、光源装置１に内視鏡２を装着（接続）する場合、それに先立ち、装着する内視鏡２の種類、特性等に応じた初段信号処理回路基板３を選択する。
【００７８】
そして、図１に示すように、選択した初段信号処理回路基板３をカードエッジ１３側から開口５２を介して光源装置本体１０内に挿入し、装着（接続）する。以下、詳述する。
【００７９】
［初段信号処理回路基板の装着］
光源装置本体１０に初段信号処理回路基板３を装着するに際しては、まず、電源スイッチ７４をオフとし、電源回路７４３からの装置各部への電力供給がなされていない状態とする。これにより、前述したように、ソレノイド９２のプランジャ９４は、退避位置に位置し、初段信号処理回路基板３の装着が可能となる。
【００８０】
把持部５４を手で把持しつつ、初段信号処理回路基板３をカードエッジ１３側から開口５２を介して光源装置本体１０内に挿入し、図３に示すように初段信号処理回路基板３の上端部３ａおよび下端部３ｂを上下一対の基板レールガイド４の溝にそれぞれ係合させ、初段信号処理回路基板３を押し込む。これにより、初段信号処理回路基板３は、基板レールガイド４に沿って図１中の矢印方向（図１中右側）に移動する。
【００８１】
このとき、ソレノイド９２のプランジャ９４は、退避位置にあるので、初段信号処理回路基板３は、プランジャ９４に当接することなくプランジャ９４の近傍を通過することができる。
【００８２】
また、初段信号処理回路基板３の移動の途中で、図８に示すように、初段信号処理回路基板３のスコープコネクタ１４がコネクタ受け６の空間６ａに挿入され、コネクタ受け６のリブ３６がスコープコネクタ１４の溝２５に係合する。このとき、第１および第２のガイド片３２、３３の先端部にはテーパ面３４が形成されているので、スコープコネクタ１４は、このテーパ面３４に沿って、コネクタ受け６の空間６ａに導かれる。
【００８３】
このように、初段信号処理回路基板３は、基板レールガイド４に沿って、スコープコネクタ１４は、第１および第２のガイド片３２、３３に沿って、それぞれ、さらに奥部へ移動し、カードエッジ１３の先端部がコネクタ９０に当接した時点で、その移動（挿入）が一旦停止される。
【００８４】
この状態で、初段信号処理回路基板３に対してさらに挿入方向へ力を加えると、図５に示すように、カードエッジ１３がコネクタ９０に嵌合し、これらが電気的に接続されると共に、図８に示すように、スコープコネクタ１４がコネクタ受け６の当接部３７に当接し、初段信号処理回路基板３が光源装置本体１０に対して位置決めされる。これにより、初段信号処理回路基板３の光源装置本体１０への装着が完了する。
【００８５】
なお、初段信号処理回路基板３の装着が完了したときには、蓋部材５３が開口５２を封止する。そのため、開口５２からの光源装置本体１０内への塵、埃等の侵入が防止される。
【００８６】
以上のようにして所望の初段信号処理回路基板３の装着を行ったら、電源スイッチ７４をオンとする。なお、電源スイッチ７４のオンは、以下に述べる内視鏡２の光源装置１への接続後に行ってもよい。
【００８７】
電源スイッチ７４をオンすると、それまで退避位置にあったソレノイド９２のプランジャ９４が、係合位置へ移動し、プランジャ９４の係合片９４１が凹部９１に係合する。これにより、初段信号処理回路基板３は、基板レールガイド４に沿って移動することができなくなり、初段信号処理回路基板３の抜き取りが防止される。
【００８８】
［内視鏡の着脱］
次に、初段信号処理回路基板３が装着された光源装置１に内視鏡２を装着（接続）する。この場合には、図３に示すように、その初段信号処理回路基板３に対応する内視鏡２の接続部４０を把持し、スコープコネクタ４１を光源装置本体１０のコネクタ用孔５に挿入すると共に、ライトコネクタ４２をライトガイド用孔７に挿入して、接続部４０を図３中の矢印Ａ方向（光源装置本体１０側）に押し込む。
【００８９】
これにより、スコープコネクタ４１およびライトコネクタ４２が、矢印Ａ方向に移動し、スコープコネクタ４１とスコープコネクタ１４とが接続され、光源装置１と内視鏡２との電気的および機械的接続が図られる。また、ライトコネクタ４２が初段信号処理回路基板３のライトガイド用開口１５を貫通し、ライトコネクタ４２の先端部（図３中左側の端部）が光源装置本体１０内の所定の位置に位置し、これにより、光源装置本体１内で形成されたランプ５７からの照明光をライトガイド８を介して内視鏡２の先端部まで導光することが可能となる。すなわち、光源装置１と内視鏡２とが光学的に接続される。
【００９０】
また、光源装置１から内視鏡２を取り外す場合には、内視鏡２の接続部４０を把持し、その接続部４０を図２中の矢印Ｂ方向側に引き抜く。
【００９１】
これにより、スコープコネクタ１４とスコープコネクタ４１との接続が外れ、スコープコネクタ４１がコネクタ用孔５から引き抜かれると共に、ライトコネクタ４２がライトガイド用孔７から引き抜かれる。
【００９２】
前述したように、この電子内視鏡装置１では、図３および図８に示すように、初段信号処理回路基板３に実装されたスコープコネクタ１４の溝２５が、光源装置本体１０に固定的に設置されたコネクタ受け６のリブ３６に係合している。このため、内視鏡２の着脱の際に、スコープコネクタ４１からスコープコネクタ１４に対して図３中の矢印Ａ方向または矢印Ｂ方向（内視鏡２の着脱方向）の力や衝撃が加わっても、コネクタ受け６により、スコープコネクタ１４が光源装置本体１０に対して矢印Ａ方向または矢印Ｂ方向に変位（姿勢の変更や移動等）することが阻止され、これにより初段信号処理回路基板３が安定的に保持される（初段信号処理回路基板３の反りやたわみ等の変形を防止することができる）。
【００９３】
すなわち、スコープコネクタ１４がコネクタ受け６によって光源装置本体１０に対して直接支持されているので、内視鏡２の着脱の際に、スコープコネクタ４１からスコープコネクタ１４に加わる力や衝撃が初段信号処理回路基板３に伝わることがなく、このため、内視鏡２の着脱により初段信号処理回路基板３が変形して、初段信号処理回路基板３が破損したり、あるいは初段信号処理回路３の回路パターンや実装部品の変形、剥離、初段信号処理回路基板３のカードエッジ１３と光源装置本体１０のコネクタ９０との接触不良等の不都合が生じるのを防止することができる。
【００９４】
［初段信号処理回路基板の離脱］
光源装置本体１０から初段信号処理回路基板３を取り外すに際しては、まず、電源スイッチ７４をオフとし、電源回路７４３からの装置各部への電力供給がなされていない状態とする。これにより、前述したように、ソレノイド９２のプランジャ９４が退避位置へ移動し、初段信号処理回路基板３の離脱が可能となる。
【００９５】
把持部５４を手で把持し、初段信号処理回路基板３を光源装置本体１０から引き抜く。このとき、ソレノイド９２のプランジャ９４は、退避位置にあり、凹部９１との係合が解除されているので、初段信号処理回路基板３は、それを抜き取る方向に移動することができる。
【００９６】
初段信号処理回路基板３を引き抜くと、まず、カードエッジ１３がコネクタ９０から外れ、それらの電気的接続が断たれた後、初段信号処理回路基板３は、基板レールガイド４に沿って、スコープコネクタ１４は、第１および第２のガイド片３２、３３に沿って、それぞれ、前記と逆方向に（開口５２に向かって）移動し、光源装置本体１０から取り出される。
【００９７】
次に、電子内視鏡装置１００の動作説明をする。
【００９８】
図９は、電子内視鏡装置１００の回路構成例を示すブロック図である。同図に示すように、電子内視鏡装置１００の光源装置本体１０には、所定の入力を行うためのキーボード５０および観察部位の画像（電子画像）等の表示を行うモニター（表示手段）５１が、それぞれ電気的に接続されている。そして、この電子内視鏡装置１００は、前述したモノクロ面順次撮像方式に対応する初段信号処理回路基板３と、カラー単板撮像方式に対応する初段信号処理回路基板３とを備えており、これらの初段信号処理回路基板３を選択的に光源装置本体１０に装着することにより、モノクロ面順次撮像方式およびカラー単板撮像方式のいずれにも対応し得るようになっている。
【００９９】
図９に示すように、光源装置本体１０は、書き換え可能な不揮発性のメモリ５６１を内蔵したシステムコントロール回路（制御手段）５６を有している。
【０１００】
システムコントロール回路５６は、通常、マイクロコンピュータ（ＣＰＵ）で構成され、電子内視鏡装置１００全体の制御を行う。
【０１０１】
また、図９および図１２に示すように、光源装置本体１０は、初段信号処理回路基板３の装着の有無を検出する基板検出器５５を有している。
【０１０２】
この基板検出器５５は、一端がコネクタ９０の所定の端子９０１に電気的に接続され、他端に電圧Ｖが印加されているプルアップ抵抗５５１を有し、このプルアップ抵抗５５１の一端の電位（電圧）を検出する方式の検出器である。
【０１０３】
初段信号処理回路基板３が光源装置本体１０に装着されていないとき（未装着時）は、基板検出器５５からシステムコントロール回路（制御手段）５６に入力される基板検出信号のレベル（電圧レベル）がハイレベル（Ｈ）になり、初段信号処理回路基板３が光源装置本体１０に装着されているとき（装着時）は、前記基板検出信号のレベルがローレベル（Ｌ）になる。システムコントロール回路５６は、前記基板検出信号に基づいて、初段信号処理回路基板３が光源装置本体１０に装着されているか否かを判別することができる。
【０１０４】
初段信号処理回路基板３を光源装置本体１０に装着した後、電源スイッチ７４をオンすると、図示しないＡＣ電源に接続されている電源回路７４３が起動し、装置の各部に電力が供給される。これにより、システムコントロール回路５６は、ソレノイド制御回路９８を作動させて、ソレノイド９２へ通電し、ソレノイド９２を駆動する。このソレノイド９２の駆動により、プランジャ９４が係合位置へ移動し、凹部９１に係合し、電源スイッチ７４をオフにするまでの間は、初段信号処理回路基板３を光源装置本体１０から離脱させることができなくなる。
【０１０５】
また、電源スイッチ７４がオンされたことにより、システムコントロール回路５６は、初段信号処理回路基板３のＲＯＭ１２に記憶されている情報のうちの必要な情報を読み出す。
【０１０６】
システムコントロール回路５６は、前記ＲＯＭ１２から読み出した情報をメモリ５６１に記憶する。
【０１０７】
この場合、既に、メモリ５６１に情報が記憶されているときは、前記メモリ５６１に記録されている情報と、前記ＲＯＭ１２から読み出した情報とを比較し、同じ場合には、前記メモリ５６１に記録されている情報を維持し、異なる場合には、前記メモリ５６１に記録されている情報を前記ＲＯＭ１２から読み出した情報に書き換える。
【０１０８】
なお、初段信号処理回路基板３が別の基板に交換された場合には、前記メモリ５６１に記録されている情報と、前記ＲＯＭ１２から読み出した情報とが異なる。
【０１０９】
まず、図９等に基づいて、カラー単板撮像方式に対応する初段信号処理回路１１を有する初段信号処理回路基板３が装着された場合の動作を説明する。
【０１１０】
システムコントロール回路５６は、メモリ５６１から撮像方式に関する情報を読み出し、その情報に基づいて、装着されている初段信号処理回路基板３に対応する撮像方式等を把握する。
【０１１１】
この場合、カラー単板撮像方式に対応する初段信号処理回路基板３が装着されているので、システムコントロール回路５６は、撮像方式を「カラー単板撮像方式」と把握し、カラー単板撮像方式用の設定を行う。
【０１１２】
前記設定の一つとして、システムコントロール回路５６は、フィルタ移動機構７２を駆動制御して、モータ６２およびこれにより回転するＲＧＢ回転フィルタ６３を、絞り６０からライトガイド８の一端に集光される光（光束）の光路から離間した所定の位置へ退避させる。
【０１１３】
また、システムコントロール回路５６は、白色光を発光する光源５７を発光駆動すると共に、モータ制御回路５８を介してモータ５９を回転駆動し、絞り６０の開口部を適切な開口量（絞り値）に調整する。
【０１１４】
光源５７としては、例えば、ハロゲンランプ等を用いることができる。
【０１１５】
光源５７から出射した光は、集光レンズ６４で集光され、絞り６０で光量が調整された後、ライトコネクタ４２のライトガイド８の一端に照射される。
【０１１６】
このライトガイド８の一端に照射された光は、ライトガイド８によりその他端に導かれ、その他端から照明系レンズ６６を介して被検体の所定の部位に照射される。
【０１１７】
この場合、前記ライトガイド８の他端から出射した照明光は、照明系レンズ６６により、所定の照射範囲に照射されるように調整され、これにより撮像範囲（観察部位）を含む領域に照射される。
【０１１８】
前記照明光が照射された撮像範囲からの反射光は、撮像レンズ６７により、所定のカラーフィルタを備えたＣＣＤイメージセンサ６８の受光面に結像するように導かれ、この撮像範囲の像（被写体像）は、そのＣＣＤイメージセンサ６８により撮像される。
【０１１９】
ＣＣＤイメージセンサ６８は、タイミングコントロール回路６５からの撮像素子駆動信号に基づいて駆動する撮像素子用ドライバ回路６９により駆動制御され、所定のタイミングで撮像して、輝度信号（Ｙ）および２つの色差信号（Ｒ−Ｙ、Ｂ−Ｙ）をそれぞれ生成する。
【０１２０】
ＣＣＤイメージセンサ６８からの輝度信号（Ｙ）および各色差信号（Ｒ−Ｙ、Ｂ−Ｙ）は、それぞれ、信号線（ＣＣＤケーブル）、スコープコネクタ４１および１４を介して初段信号処理回路１１に入力される。
【０１２１】
カラー単板撮像方式に対応する初段信号処理回路１１は、図１０に示す構成となっており、ＣＣＤイメージセンサ６８からの輝度信号（Ｙ）、色差信号（Ｒ−Ｙ）および色差信号（Ｂ−Ｙ）は、それぞれ、各信号用のプリアンプ７５ａ、７５ｂおよび７５ｃにより所定の利得で増幅され、各信号用のビデオフィルタ７６ａ、７６ｂおよび７６ｃによりフィルタリング処理され、マトリクス回路７７に入力される。
【０１２２】
マトリクス回路７７は、コンポジット映像信号として供給される各信号を、Ｒ（赤）、Ｇ（緑）、Ｂ（青）のコンポーネント映像信号に変換して出力する。
【０１２３】
マトリクス回路７７からのＲ信号、Ｇ信号およびＢ信号は、それぞれ、各信号用のアンプ７８Ｒ、７８Ｇおよび７８Ｂにより所定の利得で増幅され、各信号用のガンマ補正回路７９Ｒ、７９Ｇおよび７９Ｂにより補正され、Ａ／Ｄ変換器８０に入力される。
【０１２４】
Ａ／Ｄ変換器８０は、アナログの信号形態で供給されたＲ信号、Ｇ信号およびＢ信号を、それぞれ、デジタルの信号形態に変換し、これらをそれぞれ図９に示すタイミングコントロール回路６５に出力する。
【０１２５】
タイミングコントロール回路６５は、Ｒ信号、Ｇ信号およびＢ信号を、それぞれ、Ｒ信号用メモリ、Ｇ信号用メモリおよびＢ信号用メモリで構成される画像メモリ７０に一旦書き込み、これらを所定のタイミングで読み出して、後段映像信号処理回路７１に出力する。
【０１２６】
後段映像信号処理回路７１は、内蔵する図示しないＤ／Ａ変換器により、デジタルの信号形態で供給されたＲ信号、Ｇ信号およびＢ信号を、それぞれ、アナログの信号形態に変換し、さらに、これらに所定のビデオプロセス処理を施すことにより、所定の形態のテレビジョン信号を生成し、モニター５１に出力する。
【０１２７】
モニター５１には、ＣＣＤイメージセンサ６８で撮像されたカラーの画像（電子画像）、すなわち、カラーの動画の内視鏡画像が表示される。
【０１２８】
なお、後段映像信号処理回路７１は、色バランス（主にＲとＢ）を調整する機能を有する。この色バランスは、フロントパネルスイッチ７３の色バランス調整スイッチを操作して、所望の値に設定することができる。
【０１２９】
また、後段映像信号処理回路７１は、所定の情報をモニター５１に表示する機能を有しており、モニター５１には、必要に応じて所定の情報（例えば、初段信号処理回路基板３のＲＯＭ１２に記憶されている情報、キーボード５０から入力したキャラクタ、警告等）が表示される。
【０１３０】
また、画像メモリ７０に書き込まれている同一画像のＲ信号、Ｇ信号およびＢ信号を、それぞれ、繰り返し読み出して後段映像信号処理回路７１に出力することにより、モニター５１に表示される内視鏡画像を静止画にすることも可能である。
【０１３１】
次に、図９等に基づいて、モノクロ面順次撮像方式に対応する初段信号処理回路１１を有する初段信号処理回路基板３が装着された場合の動作を説明する。
【０１３２】
システムコントロール回路５６は、メモリ５６１から撮像方式に関する情報を読み出し、その情報に基づいて、装着されている初段信号処理回路基板３に対応する撮像方式等を把握する。
【０１３３】
この場合、モノクロ面順次撮像方式に対応する初段信号処理回路基板３が装着されているので、システムコントロール回路５６は、撮像方式を「モノクロ面順次撮像方式」と把握し、モノクロ面順次撮像方式用の設定を行う。
【０１３４】
前記設定の一つとして、システムコントロール回路５６は、フィルタ移動機構７２を駆動制御して、モータ６２およびこれにより回転するＲＧＢ回転フィルタ６３を図９に示す位置、すなわち、絞り６０からライトガイド８の一端に集光される光（光束）の光路上にＲＧＢ回転フィルタ６３が位置する位置に移動させる。
【０１３５】
システムコントロール回路５６は、白色光を発光する光源５７を発光駆動すると共に、モータ制御回路５８を介してモータ５９を回転駆動し、絞り６０の開口部を適切な開口量（絞り値）に調整する。
【０１３６】
光源５７から出射した光は、集光レンズ６４で集光され、絞り６０およびＲＧＢ回転フィルタ６３を介してライトコネクタ４２のライトガイド８の一端に照射される。
【０１３７】
一方、タイミングコントロール回路６５からモータ制御回路６１に所定の周波数のタイミングパルスが入力される。モータ制御回路６１は、このタイミングパルスのタイミングで、回転軸にＲＧＢ回転フィルタ６３が設置されているモータ６２を回転駆動する。例えば、タイミングパルスの周波数が３０Ｈｚの場合には、モータ制御回路６１は、モータ６２、すなわちＲＧＢ回転フィルタ６３を、１秒間に３０回転させる。
【０１３８】
また、ＲＧＢ回転フィルタ６３の全フィルタ領域は、その中心から放射状に伸びる３本の直線により、扇状の３つの領域を形成するように３等分割されている。前記各フィルタ領域には、それぞれ、赤色の光のみを透過させるＲ（赤）用色フィルタ、緑色の光のみを透過させるＧ（緑）用色フィルタ、青色の光のみを透過させるＢ（青）用色フィルタが設けられている。
【０１３９】
従って、モータ６２が前記タイミングパルスに基づいて回転駆動されることにより、ＲＧＢ回転フィルタ６３によって、絞り６０からの白色光が、前記タイミングパルスの周波数で、順次、赤色光、緑色光および青色光に変換され、ライトガイド８の一端に照射される。例えば、タイミングパルスの周波数が３０Ｈｚの場合には、１秒間に、赤色光、緑色光および青色光が、それぞれ、ライトガイド８の一端に３０回照射される。
【０１４０】
このライトガイド８の一端に照射された照明光は、ライトガイド８によりその他端に導かれ、その他端から照明系レンズ６６を介して被検体の所定の部位に照射される。
【０１４１】
この場合、前記ライトガイド８の他端から出射した照明光は、照明系レンズ６６により、所定の照射範囲に照射されるように調整され、これにより撮像範囲（観察部位）を含む領域に照射される。
【０１４２】
前記照明光が照射された撮像範囲からの反射光は、撮像レンズ６７により、カラーフィルタを備えていないＣＣＤイメージセンサ６８の受光面に結像するように導かれ、この撮像範囲の像（被写体像）は、そのＣＣＤイメージセンサ６８により撮像される。
【０１４３】
ＣＣＤイメージセンサ６８は、タイミングコントロール回路６５からの撮像素子駆動信号に基づいて駆動する撮像素子用ドライバ回路６９により駆動制御され、所定のタイミングで撮像して、モノクロ映像信号を生成する。
【０１４４】
この撮像は、赤色光、緑色光および青色光が照射されているときに、各々行われ、赤色光に対応するモノクロ映像信号（Ｒ信号）、緑色光に対応するモノクロ映像信号（Ｇ信号）および青色光に対応するモノクロ映像信号（Ｂ信号）が順次生成される。例えば、タイミングパルスの周波数が３０Ｈｚの場合には、１秒間に、９０回撮像が行われる。
【０１４５】
ＣＣＤイメージセンサ６８からのモノクロ映像信号は、信号線（ＣＣＤケーブル）、スコープコネクタ４１および１４を介して初段信号処理回路１１に入力される。
【０１４６】
モノクロ面順次撮像方式に対応する初段信号処理回路１１は、図１１に示す構成となっており、ＣＣＤイメージセンサ６８からのモノクロ映像信号は、プリアンプ８１により所定の利得で増幅され、ビデオフィルタ８２によりフィルタリング処理され、サンプルホールド回路（Ｓ／Ｈ回路）８３に入力される。
【０１４７】
サンプルホールド回路８３は、いわゆる相関二重サンプリング法に基づいてモノクロ映像信号をサンプリング処理することにより、そのモノクロ映像信号からノイズ成分を除去して出力する。
【０１４８】
サンプルホールド回路８３からのモノクロ映像信号は、アンプ８４により所定の利得で増幅され、ガンマ補正回路８５により補正され、Ａ／Ｄ変換器８６に入力される。
【０１４９】
Ａ／Ｄ変換器８６は、アナログの信号形態で供給されたモノクロ映像信号をデジタルの信号形態に変換し、これを図９に示すタイミングコントロール回路６５に出力する。
【０１５０】
タイミングコントロール回路６５は、赤色光に対応するモノクロ映像信号（Ｒ信号）、緑色光に対応するモノクロ映像信号（Ｇ信号）および青色光に対応するモノクロ映像信号（Ｂ信号）を、順次、Ｒ信号用メモリ、Ｇ信号用メモリおよびＢ信号用メモリで構成される画像メモリ７０に一旦書き込み、これらを所定のタイミングで読み出して、後段映像信号処理回路７１に出力する。
【０１５１】
後段映像信号処理回路７１は、内蔵する図示しないＤ／Ａ変換器により、デジタルの信号形態で供給されたＲ信号、Ｇ信号およびＢ信号を、それぞれ、アナログの信号形態に変換し、さらに、これらに所定のビデオプロセス処理を施すことにより、所定の形態のテレビジョン信号を生成し、モニター５１に出力する。
【０１５２】
モニター５１には、ＣＣＤイメージセンサ６８で撮像されたカラーの画像（電子画像）、すなわち、カラーの動画の内視鏡画像が表示される。
【０１５３】
なお、前記カラー単板撮像方式に対応する初段信号処理回路基板３が装着された場合と同様に、モニター５１に表示される内視鏡画像を静止画にすることも可能であり、また、モニター５１には、必要に応じて所定の情報が表示される。
【０１５４】
以上説明したように、この光源装置１および電子内視鏡装置１００によれば、初段信号処理回路基板３を交換して使用することができるので、単一の光源装置本体１０で（光源装置全体を交換することなく）、例えば、カラー単板撮像方式およびモノクロ面順次撮像方式の両方に対応することができる。
【０１５５】
また、将来、規格、仕様、設計等の変更があった場合、例えば、ＣＣＤイメージセンサ６８の画素数が変更された場合や、信号処理方式が変更された場合（例えば、モノクロ面順次撮像方式に対応する初段信号処理回路１１のサンプルホールド回路８３が光源装置１側から内視鏡２側に移動した場合）でも、光源装置本体１０を変更せずに、初段信号処理回路基板３のみを変更することにより、それらに対応することができる。
【０１５６】
すなわち、単一の光源装置本体１０で、例えば、内視鏡２の接続ケーブル４３の長さの異なるもの、ＣＣＤイメージセンサ６８の種類や画素数が異なるもの、撮像方式が異なるもの（例えば、モノクロ面順次撮像方式、カラー単板撮像方式）、信号処理方式が異なるもの等、種々の内視鏡２に対応することができる。
【０１５７】
また、光源装置１は、電源のオン／オフに応じて初段信号処理回路基板３の光源装置本体１０への着脱を禁止／許容する着脱選択手段９を備えているので、光源装置本体１０の電源がオフであるときにのみ、初段信号処理回路基板３の光源装置本体１０への着脱、すなわちカードエッジ１３とコネクタ９０との接続およびその解除が可能となる。
【０１５８】
従って、初段信号処理回路１１や、光源装置本体１０側の回路等が破壊されたり、誤動作を生じたりする等の悪影響が防止され、高い信頼性を維持することができる。
【０１５９】
また、初段信号処理回路基板３を光源装置本体１０に装着すると、スコープコネクタ１４の溝２５がコネクタ受け６のリブ３６に係合し、これにより、スコープコネクタ１４がコネクタ受け６によって光源装置本体１０に対して直接支持される。
【０１６０】
このため、内視鏡２を着脱しても、スコープコネクタ１４が光源装置本体１０に対して、内視鏡２の着脱方向、すなわち図３中の矢印Ａ方向または矢印Ｂ方向に変位（姿勢の変更や移動等）することがないか、または、前記スコープコネクタ１４の変位を実質的に影響がない程度に抑制することができ、これにより初段信号処理回路基板３が安定的に保持される。
【０１６１】
以上のように、本発明では、信頼性、耐久性を低下させることなく、初段信号処理回路基板３が交換可能（着脱可能）な光源装置および電子内視鏡装置を実現することができる。
【０１６２】
図１３および図１４は、それぞれ、本発明の第２実施形態の主要部の構成を示す断面側面図である。以下、この第２実施形態について、前記第１実施形態との相違点について説明し、同一の事項については、その説明を省略する。
【０１６３】
第２実施形態の光源装置１は、着脱選択手段の構成が第１実施形態と異なり、その他は同様である。
【０１６４】
第２実施形態における着脱選択手段９’は、電源スイッチ７４による電源のオン／オフに応じて初段信号処理回路基板３の光源装置本体１０への着脱を禁止／許容するもので、主に、初段信号処理回路基板３に、該基板を貫通するよう形成された孔９１１と、前記と同様のソレノイド９２と、ソレノイド９２の駆動を制御するソレノイド制御回路９８とで構成されている。
【０１６５】
孔９１１の初段信号処理回路基板３上での形成位置は、初段信号処理回路基板３を光源装置本体１０に装着した状態（カードエッジ１３とコネクタ９０とが電気的に接続された状態）で、後述するソレノイド９２のプランジャ９４の係合片９４１が挿入（係合）し得る位置とされる。
【０１６６】
ソレノイド９２は、支持部材９７により光源装置本体１０の低部（底板）の内側に支持、固定されている。このソレノイド９２は、電磁石を内蔵するソレノイド本体９３と、ソレノイド本体９３に対し軸方向に移動可能なプランジャ（移動体）９４とを備えている。また、ソレノイド本体９３の後端およびプランジャ９４の後端には、それぞれ、バネ座として機能するワッシャー９５、９５が設置され、両ワッシャー間９５間に、プランジャ９４を図１３、図１４中左方に付勢するバネ（付勢手段）９６が挿入されている。
【０１６７】
プランジャ９４の先端部は、初段信号処理回路基板３に形成された孔９１１に係合する部分（挿入される部分）である（図１４参照）。
【０１６８】
プランジャ９４は、初段信号処理回路基板３の着脱の際の移動方向に対しほぼ直角方向に移動する。これにより、できるだけ少ない移動ストロークでプランジャ９４の先端部の孔９１１への係合／離脱を確実かつ効率的に行うことができる。
【０１６９】
電源スイッチ７４により光源装置本体１０の電源がオフの状態では、ソレノイド制御回路９８は、ソレノイド９２への通電を行わず、これにより、図１３に示すように、プランジャ９４は、バネ９６の弾性力により図１３中左方向に位置し、すなわち、プランジャ９４の先端部が孔９１１と係合しない位置（退避位置）にある。
【０１７０】
プランジャ９４が退避位置にあるときには、初段信号処理回路基板３は、プランジャ９４に当接することなくプランジャ９４の近傍を図１３中前後方向に自由に移動することができる。従って、初段信号処理回路基板３を光源装置本体１０に着脱すること、すなわち、カードエッジ１３をコネクタ９０に着脱（接続および離脱）することが許容される。
【０１７１】
一方、電源スイッチ７４により光源装置本体１０の電源がオンの状態では、ソレノイド制御回路９８は、ソレノイド９２への通電を行い、これにより、図１４に示すように、プランジャ９４は、バネ９６の弾性力に抗して図１４中右方向に移動し、突出する。そして、初段信号処理回路基板３が光源装置本体１０に装着された状態では、プランジャ９４の先端部が孔９１１内に挿入し、孔９１１と係合する（係合位置）。
【０１７２】
プランジャ９４が係合位置にあるときに、初段信号処理回路基板３を開口５２から挿入し、カードエッジ１３をコネクタ９０に接続しようとした場合、初段信号処理回路基板３の角部（または縁部）がプランジャ９４の先端部に当接し、その時点で初段信号処理回路基板３の移動が止められる。従って、初段信号処理回路基板３を光源装置本体１０に装着すること、すなわちカードエッジ１３をコネクタ９０に接続することが禁止される。
【０１７３】
また、カードエッジ１３がコネクタ９０に接続されており、かつ電源がオン状態であることによりプランジャ９４の先端部が孔９１１と係合しているときには、初段信号処理回路基板３は、図１４中前後方向に移動することができず、よって、初段信号処理回路基板３を光源装置本体１０から離脱させること、すなわちカードエッジ１３とコネクタ９０との接続を解除することが禁止される。
【０１７４】
このような着脱選択手段９’を設けたことにより、光源装置本体１０の電源がオフであるときにのみ、初段信号処理回路基板３の光源装置本体１０への着脱、すなわちカードエッジ１３とコネクタ９０との接続およびその解除が可能となるので、前記と同様に、初段信号処理回路１１や光源装置本体１０側の回路等が破壊されたり、誤動作を生じたりする等の悪影響が防止され、高い信頼性を維持することができる。
【０１７５】
図１５および図１６は、それぞれ、本発明の第３実施形態の主要部の構成を示す断面側面図である。以下、この第３実施形態について、前記第１実施形態との相違点について説明し、同一の事項については、その説明を省略する。
【０１７６】
第３実施形態の光源装置１は、着脱選択手段の構成が第１実施形態（または第２実施形態）と異なり、その他は同様である。
【０１７７】
第３実施形態における着脱選択手段９９は、電源スイッチ７４による電源のオン／オフに応じて初段信号処理回路基板３の光源装置本体１０への着脱を禁止／許容するものである。電源スイッチ７４は、ボタン式のスイッチであり、電源のオン／オフを行うための操作部材であるボタン７４１と、スイッチボックス７４２とで構成されている。スイッチボックス７４２内には、ボタン７４１の押圧操作に伴って接触する電気接点と、ボタン７４１を図１５および図１６中右方向へ付勢するバネと、ボタン７４１を押圧した状態を維持するストッパ（いずれも図示せず）とが設置されている。
【０１７８】
着脱選択手段９９は、初段信号処理回路基板３に形成された前記と同様の孔９１１と、ボタン７４１の押圧操作に連動して移動するロッド（係合部材）９９１と、ロッド９９１を摺動可能に支持するロッド支持部材９９４、９９６と、ロッド支持部材９９４、９９６を光源装置本体１０に対し支持、固定する支持部材９９８とで構成されている。
【０１７９】
孔９１１の初段信号処理回路基板３上での形成位置は、初段信号処理回路基板３を光源装置本体１０に装着した状態（カードエッジ１３とコネクタ９０とが電気的に接続された状態）で、ロッド９９１の先端部９９３が挿入（係合）し得る位置とされる。
【０１８０】
ロッド９９１は、Ｌ字状に屈曲した棒状の部材であり、その基端側には、リング状の固定部９９２を有している。ロッド９９１は、この固定部９９２により、ボタン７４１に固定されている。
【０１８１】
また、ロッド９９１の先端部９９３側は、ボタン７４１の操作方向（押圧方向）とほぼ平行な方向（同方向）に移動する。ロッド９９１の先端部９９３付近は、ロッド支持部材９９４、９９６により摺動可能に支持されている。なお、ロッド９９１の先端部９９３の移動方向は、初段信号処理回路基板３の着脱の際の移動方向に対しほぼ直角方向である。これにより、できるだけ少ない移動ストロークでロッド９９１の先端部９９３の孔９１１への係合／離脱を確実かつ効率的に行うことができる。
【０１８２】
ロッド支持部材９９４には、ロッド９９１が挿通可能な貫通孔９９５が形成され、この貫通孔９９５にロッドが挿通されている。また、ロッド支持部材９９６には、ロッド９９１の先端部９９３が挿入可能な凹部９９７が形成されている。
【０１８３】
ロッド支持部材９９４とロッド支持部材９９６とは、初段信号処理回路基板３またはその通路を介して互いに反対側に設置されている。ロッド９９１の先端部９９３が孔９１１または初段信号処理回路基板３の通路を越えて凹部９９７に挿入された際には、ロッド９９１は、ロッド支持部材９９４とロッド支持部材９９６とで両持ち支持となるので、高強度が得られ、初段信号処理回路基板３の移動を確実に阻止することができる。
【０１８４】
このようなロッド支持部材９９４、９９６は、支持部材９９８により、光源装置本体１０の低部（底板）の内側に支持、固定されている。また、前記スイッチボックス７４２も、支持部材９９８により支持、固定されている。
【０１８５】
図１５に示すように、ボタン７４１が押されておらず、電源スイッチ７４がオフ（光源装置本体１０の電源がオフ）の状態では、ロッド９９１の先端部９９３は、初段信号処理回路基板３の孔９１１と係合しない位置（退避位置）にある。
【０１８６】
ロッド９９１の先端部９９３が退避位置にあるときには、初段信号処理回路基板３は、ロッド９９１の先端部９９３に当接することなく図１５中前後方向に自由に移動することができる。従って、初段信号処理回路基板３を光源装置本体１０に着脱すること、すなわち、カードエッジ１３をコネクタ９０に着脱（接続および離脱）することが許容される。
【０１８７】
一方、図１６に示すように、スイッチボックス７４２内に収納されたバネ（図示せず）の付勢力に抗してボタン７４１を図１６中の矢印方向に指で押圧し、電源スイッチ７４をオン（光源装置本体１０の電源がオン）にすると、この操作に伴い、ロッド９９１が同方向（図１６中左方向）に移動する。そして、初段信号処理回路基板３が光源装置本体１０に装着された状態では、ロッド９９１の先端部９９３が孔９１１内に挿入し、孔９１１と係合する（係合位置）。さらに、ロッド９９１の先端部９９３は、ロッド支持部材９９６の凹部９９７内に挿入される。
【０１８８】
ロッド９９１の先端部９９３が係合位置にあるときに、初段信号処理回路基板３を開口５２から挿入し、カードエッジ１３をコネクタ９０に接続しようとした場合、初段信号処理回路基板３の角部（または縁部）がロッド９９１の先端部９９３に当接し、その時点で初段信号処理回路基板３の移動が止められる。従って、初段信号処理回路基板３を光源装置本体１０に装着すること、すなわちカードエッジ１３をコネクタ９０に接続することが禁止される。
【０１８９】
また、カードエッジ１３がコネクタ９０に接続されており、かつボタン７４１が押圧されている（電源がオン状態である）ことによりロッド９９１の先端部９９３が孔９１１と係合しているときには、初段信号処理回路基板３は、図１６中前後方向に移動することができず、よって、初段信号処理回路基板３を光源装置本体１０から離脱させること、すなわちカードエッジ１３とコネクタ９０との接続を解除することが禁止される。
【０１９０】
なお、一旦ボタン７４１が押圧されると、スイッチボックス７４２内に設置された前記ストッパの機能により、ボタン７４１から指を離しても、ボタン７４１の押圧状態（図１６に示す状態）が維持される。従って、前述した初段信号処理回路基板３の移動を禁止する機能も維持される。再度ボタン７４１を押圧すると、ボタン７４１は、元の位置（図１５に示す位置）に戻り、電源スイッチ７４がオフとなる。
【０１９１】
このような着脱選択手段９９を設けたことにより、光源装置本体１０の電源がオフであるときにのみ、初段信号処理回路基板３の光源装置本体１０への着脱、すなわちカードエッジ１３とコネクタ９０との接続およびその解除が可能となるので、前記と同様に、初段信号処理回路１１や光源装置本体１０側の回路等が破壊されたり、誤動作を生じたりする等の悪影響が防止され、高い信頼性を維持することができる。
【０１９２】
また、第３実施形態の光源装置１では、着脱選択手段９９が電源スイッチ７４の操作に伴って機械的に作動する構成のものであり、前記第１、第２実施形態におけるソレノイド９２のような電気的に作動する駆動源や、それを駆動制御する制御回路を有さないので、構造の簡素化、小型化、軽量化を図ることができると共に、誤作動を確実に防止することができるという利点がある。
【０１９３】
以上、本発明の光源装置および内視鏡装置を図示の各実施形態に基づいて説明したが、本発明はこれらに限定されるものではなく、各部の構成は、同様の機能を有する任意の構成のものに置換することができる。
【０１９４】
特に、光源装置本体に対し着脱する接続ユニットは、初段信号処理回路基板３に限られず、内視鏡と電気的に接続されるコネクタを備えているものであれば、いかなる物でもよい。
【０１９５】
また、着脱選択手段は、光源装置本体の電源のオン／オフに応じて接続ユニット（初段信号処理回路基板３）の光源装置本体への着脱を禁止／許容することができるものであれば、いかなる構成のものでもよい。
【０１９６】
例えば、着脱選択手段が、電気的に作動するものである場合、駆動源としては、前記のソレノイドの他、モータ等であってもよい。また、着脱選択手段が、機械的に作動するものである場合、電源のオン／オフを行うための操作部材と、これに連動して変位する係合部材との間に、例えば、回動機構、リンク機構、カム機構、歯車機構、プーリーおよびベルト等の動力を伝達し得る任意の機構が存在していてもよい。
【０１９７】
本発明では、前記実施の形態のような医療用の内視鏡装置に限らずこの他、例えば、工業用の内視鏡装置等にも適用することができる。
【０１９８】
また、本発明では、光源装置本体に装着される初段信号処理回路基板は、前記実施形態のような撮像方式（カラー単板撮像方式やモノクロ面順次撮像方式）に対応する初段信号処理回路基板には限られない。
【０１９９】
また、前記実施形態では、光源装置１に装着される内視鏡２が電子内視鏡（ビデオスコープ）であるが、本発明では、光源装置１に装着される内視鏡２がファイバー内視鏡（ファイバースコープ）であってもよく、また、光源装置１に電子内視鏡とファイバー内視鏡とをそれぞれ装着し得るように構成されていてもよい。
【０２００】
また、前記実施の形態では、スコープコネクタ１４に溝２５が形成され、コネクタ受け６にリブ３６が形成されているが、本発明では、例えば、コネクタ受け（コネクタ支持部材）６に溝が形成され、スコープコネクタ１４に前記溝に係合するリブ（凸条）が形成されていてもよい。
【０２０１】
また、前記実施の形態では、スコープコネクタ１４の形状は、円柱状であるが、本発明では、スコープコネクタ１４の形状は、これに限らず、例えば、四角柱等の角柱状であってもよい。
【０２０２】
【発明の効果】
以上説明したように、本発明の光源装置および内視鏡装置によれば、接続ユニットを交換することができるので、光源装置全体を交換することなく、様々な内視鏡に対応することができる。すなわち、単一の光源装置本体で、例えば、内視鏡の接続ケーブル（ユニバーサルケーブル）の長さの異なるもの、撮像素子（ＣＣＤイメージセンサ）の種類、仕様、画素数等が異なるもの、撮像方式が異なるもの（例えば、モノクロ面順次撮像方式、カラー単板撮像方式）、信号処理方式が異なるもの等、種々の内視鏡に対応することができる。この場合、現存の内視鏡はもちろんのこと、将来、規格、仕様、設計等の変更があったときでも、それに容易に対応することができる。
【０２０３】
そして、着脱選択手段を設けたことにより、光源装置本体の電源がオンの状態では、接続ユニットの光源装置本体への着脱が禁止されるので、接続ユニット側または光源装置本体側に設置された回路等が破壊されたり、誤動作を生じたりする等の悪影響が防止され、高い信頼性を維持することができる。
【０２０４】
また、接続ユニットに設けられたコネクタが光源装置本体に対して内視鏡の着脱方向に変位するのを阻止する変位阻止手段を設けた場合には、内視鏡を光源装置本体に対して着脱する際に、接続ユニットの回路パターンや実装部品の変形、剥離等の不都合が生じるのを防止することができる。
【図面の簡単な説明】
【図１】本発明の光源装置の第１実施形態を示す全体斜視図である。
【図２】本発明における接続ユニットの主要部を示す斜視図である。
【図３】光源装置の第１実施形態の主要部（光源装置に内視鏡が装着された状態）の構成を示す断面側面図である。
【図４】光源装置の第１実施形態における接続ユニットの装置本体に対する着脱状態（電源がオフの状態）を示す正面図である。
【図５】光源装置の第１実施形態における接続ユニットの装置本体に対する着脱状態（電源がオフの状態）を示す正面図である。
【図６】モノクロ面順次撮像方式に対応する初段信号処理回路基板およびカラー単板撮像方式に対応する初段信号処理回路基板の構成例を示す側面図である。
【図７】本発明におけるコネクタ受けの構成例を示す側面図、正面図および背面図である。
【図８】本発明における初段信号処理回路基板に設けられたスコープコネクタと、光源装置本体に設けられたコネクタ受けとが係合した状態を示す図である。
【図９】本発明の内視鏡装置の回路構成例を示すブロック図である。
【図１０】本発明におけるカラー単板撮像方式に対応する初段信号処理回路の構成例を示すブロック図である。
【図１１】本発明におけるモノクロ面順次撮像方式に対応する初段信号処理回路の構成例を示すブロック図である。
【図１２】本発明における光源装置本体に設けられたコネクタと、初段信号処理回路基板と、基板検出器とを示す図である。
【図１３】光源装置の第２実施形態の主要部（電源がオフの状態）の構成を示す断面側面図である。
【図１４】光源装置の第２実施形態の主要部（電源がオンの状態）の構成を示す断面側面図である。
【図１５】光源装置の第３実施形態の主要部（電源がオフの状態）の構成を示す断面側面図である。
【図１６】光源装置の第３実施形態の主要部（電源がオンの状態）の構成を示す断面側面図である。
【符号の説明】
１          光源装置
１ａ        フロントパネル
１０        光源装置本体
２          内視鏡
３          初段信号処理回路基板
３ａ        上端部
３ｂ        下端部
４          基板レールガイド
５          コネクタ用孔
６          コネクタ受け
６ａ        空間
７          ライトガイド用孔
８          ライトガイド
９、９’    着脱選択手段
９１        凹部
９１１      孔
９２        ソレノイド
９３        ソレノイド本体
９４        プランジャ
９４１      係合片
９５        ワッシャー
９６        バネ
９７        支持部材
９８        ソレノイド制御回路
９９        着脱選択手段
９９１      ロッド
９９２      固定部
９９３      先端部
９９４      ロッド支持部材
９９５      貫通孔
９９６      ロッド支持部材
９９７      凹部
９９８      支持部材
１１        初段信号処理回路
１２        ＲＯＭ
１３        カードエッジ
１３１      端子
１４        スコープコネクタ
１５        ライトガイド用開口
２０        映像信号用同軸コネクタ
２１        コネクタピン
２２        映像信号用同軸コネクタ
２５        溝
３０        コネクタ挿入部
３１        ネジ孔
３２        第１のガイド片
３３        第２のガイド片
３４        テーパ面
３５        ネジ
３６        リブ
３７        当接部
４０        接続部
４１        スコープコネクタ
４２        ライトコネクタ
４３        接続ケーブル
５０        キーボード
５１        モニター
５２        開口
５３        蓋部材
５４        把持部
５５        基板検出器
５５１      プルアップ抵抗
５６        システムコントロール回路
５６１      メモリ
５７        光源
５８        モータ制御回路
５９        モータ
６０        絞り
６１        モータ制御回路
６２        モータ
６３        ＲＧＢ回転フィルタ
６４        集光レンズ
６５        タイミングコントロール回路
６６        照明系レンズ
６７        撮像レンズ
６８        ＣＣＤイメージセンサ
６９        撮像素子用ドライバ回路
７０        画像メモリ
７１        後段映像信号処理回路
７２        フィルタ移動機構
７３        フロントパネルスイッチ
７４        電源スイッチ
７４１      ボタン
７４２      スイッチボックス
７４３      電源回路
７５ａ、７５ｂ、７５ｃ  プリアンプ
７６ａ、７６ｂ、７６ｃ  ビデオフィルタ
７７        マトリクス回路
７８Ｒ、７８Ｇ、７８Ｂ  アンプ
７９Ｒ、７９Ｇ、７９Ｂ  ガンマ補正回路
８０        Ａ／Ｄ変換器
８１        プリアンプ
８２        ビデオフィルタ
８３        サンプルホールド回路
８４        アンプ
８５        ガンマ補正回路
８６        Ａ／Ｄ変換器
９０        コネクタ
９０１      端子
１００      電子内視鏡装置
【図１】
0003798918.tif 000002
【図２】
0003798918.tif 000003
【図３】
0003798918.tif 000004
【図４】
0003798918.tif 000005
【図５】
0003798918.tif 000006
【図６】
0003798918.tif 000007
【図７】
0003798918.tif 000008
【図８】
0003798918.tif 000009
【図９】
0003798918.tif 000010
【図１０】
0003798918.tif 000011
【図１１】
0003798918.tif 000012
【図１２】
0003798918.tif 000013
【図１３】
0003798918.tif 000014
【図１４】
0003798918.tif 000015
【図１５】
0003798918.tif 000016
【図１６】
0003798918.tif 000017